(57)【特許請求の範囲】
【請求項１】
高温再生器で加熱した熱操作流体にもとづいて被熱操作流体を冷却または加温するとともに、前記加熱に用いる燃料の供給を、残開度を設けて調整する流量調整弁と、全開、全閉を行う元開閉弁とにより制御する構成をもつ吸収式冷凍装置であって、
前記流量調整弁を駆動する電動機によって前記流量調整弁を前記残開度から全開まで、または、全開から前記残開度まで駆動に要する駆動時間を細分化した単位駆動時間を設けて前記電動機を駆動する単位時間駆動制御手段と、
前記単位駆動時間による駆動を行った回数を計数して得られる計数値を記憶するデータ用メモリと、
前記元開閉弁を全閉とする際、前記データ用メモリに記憶された前記計数値がゼロとなったことを確認して、前記元開閉弁の電動機を駆動して前記元開閉弁の全閉を行うことにより前記加熱を停止する加熱停止手段と
を具備することを特徴とする吸収式冷凍装置。
【発明の詳細な説明】
【０００１】
【発明の属する技術分野】
この発明は、熱吸収剤を混合した吸収液を用いて、所要の熱交換動作を行うことにより、目的とする被熱操作流体を冷却・加温するようにした吸収冷凍機・吸収冷温水機などの吸収式冷凍機（この発明において吸収式冷凍装置という）、特に、吸収液の加熱制御を改善した吸収式冷凍装置に関するものである。
【０００２】
【従来の技術】
この種の装置として、例えば、吸収剤を臭化リチウム、冷媒を水として混合した臭化リチウム水溶液などの吸収液を用いたる吸収式冷凍装置が周知であり、図３のような吸収式冷凍装置１００の構成（以下、第１従来技術という）が本願出願人による出願にもとづく特開平６−８８６５４号公報などにより開示されている。
【０００３】
図３において、太い実線部分は冷媒液・吸収液・冷却用水などの液体管路、二重線部分は冷媒蒸気の蒸気管路であり、また、冷／温水３６ｂは、冷却運転時には冷却された冷水になり、加温運転時には加温された温水になるものである。
【０００４】
まず、吸収液の循環系を、吸収器１の底部に溜っている低濃度の吸収液、つまり、稀液２ａを起点として説明する。稀液２ａは、ポンプＰ１により、管路４を経て、高温再生器５に入る。高温再生器５は、下方からバーナーなどの加熱器６で加熱しているので、稀液２ａに中に含まれている冷媒が蒸発して、高温になった中濃度の吸収液、つまり、中間液２ｂと、冷媒蒸気７ａとに分離する。
【０００５】
高温の中間液２ｂは、管路８を経て、高温側の熱交換器、つまり、高温熱交換器９に入る。高温熱交換器９で、高温の中間液２ｂは、管路４を通る稀液２ａに熱を与えて放熱し、温度が低下した後、管路１０を経て、低温再生器１１に入る。
【０００６】
低温再生器１１では、管路２１を経て放熱管１１に送り込まれた冷媒蒸気７ａが放熱管１１を加熱しているので、この加熱により中間液２ｂの中に含まれている冷媒が蒸発して、高温になった高濃度の吸収液、つまり、濃液２ｃと、冷媒蒸気７ｂとに分離する。
【０００７】
高温の濃液２ｃは、管路１２を経て、低温側の熱交換器、つまり、低温熱交換器１３に入る。低温熱交換器１３で、高温の濃液２ｃは、管路４を通る稀液２ａに熱を与えて放熱し、中温になった後、管路１４を経て、吸収器１内の散布器１Ａに入り、散布器１Ａの多数の穴から散布する。
【０００８】
散布した濃液２ｃは、吸収器１内の冷却管１Ｂを流通する冷却用水３２ａによって冷却する。濃液２ｃは、冷却管１Ｂの外側を流下する際に、隣接する蒸発器２６から入ってくる冷媒蒸気７ｃを吸収して稀薄化し、低温の稀液２ａに戻り、吸収液の一巡が終えるという吸収液循環を繰り返すものである。
【０００９】
次に、冷媒の循環系を、吸収器１に入った冷媒蒸気７Ｃを起点にして説明する。冷媒蒸気７ｃは、上記の吸収液の循環系で説明したように、吸収器１内の散布器１Ａから分散した濃液２ｃに吸収されて、稀液２ａの中に入り、高温再生器５で冷媒蒸気７ａになる。
【００１０】
冷媒蒸気７ａは、管路２１を経て、低温再生器１１の放熱管１１Ａに入り、中間液２ｂに熱を与えて放熱し、凝縮して冷媒液２４ａになった後、管路２２を経て、凝縮器２３の底部に入る。
【００１１】
凝縮器２３は、隣接する低温再生器１１との間の多数の通路１１Ｂを経て入ってくる冷媒蒸気７ｂを、凝縮器２３内の冷却管２３Ａを通る冷却用水３２ａで冷却することにり、冷媒蒸気７ｂを凝縮して低温の冷媒液２４ａにする。低温の冷媒液２４ａは、管路２５を経て、蒸発器２６に入り、蒸発器２６の低部に溜まって冷媒液２４ｂになる。
【００１２】
ポンプＰ２は、低温の冷媒液２４ｂを、管路２８を経て、散布器２６Ａに送り、散布器２６Ａの多数の穴から散布することを繰り返す。散布した冷媒液２４ｂは、蒸発器２６内の熱交換管２６Ｂを通る被熱操作流体、つまり、冷／温水戻水３６ａを冷却する。この冷却の際に、冷媒液２４ｂは、冷／温水戻水３６ａから熱を吸収して蒸発して冷媒蒸気７ｃになった後、隣接する吸収器１との間の多数の通路２６Ｃを経て吸収器１に戻り、冷媒の一巡が終えるという冷媒循環を繰り返すものである。
【００１３】
以上のように、高温再生器５と低温再生器１１との二重の再生動作によって、吸収液と冷媒、つまり、熱操作流体を循環しながら蒸発器２６内の熱交換管２６Ｂ、つまり、熱交換用配管によって、管路３５から与えられる被熱操作流体、つまり、冷／温水戻水３５ａを冷却し、管路３７から冷水３５ｂを室内冷房機器などの冷却対象機器（図示せず）に冷却用被熱操作流体として与える運転を、二重効用の冷却運転と言い、主として、冷房用に用いているため、冷房運転とも言っている。
【００１４】
これに対して、高温再生器５で蒸発した冷媒蒸気７ａと高温熱交換器９に入れるべき高温の中間液２ｂとを、側路して蒸発器２６に与える管路４１・管路４２に設けた開閉弁Ｖ１・開閉弁Ｖ２を開いて、直接、吸収器１に戻し入れるとともに、散布器２６Ａより散布すべき冷媒液２４ｂを、蒸発器２６の底部と管路４との間を側路する管路４３に設けた開閉弁Ｖ２を開いて冷媒液２４ｂを吸収液２ａに混入するようにし、低温再生器１１を用いずに、高温再生器５のみの運転によって、吸収液循環と冷媒循環とを行いながら蒸発器２６内の熱交換管２６Ｂ、つまり、熱交換用配管によって、管路３５から与えられる被熱操作流体、つまり、冷／温水戻水３６ａを加温し、管路３７から温水３６ｂを室内暖房機器などの加温対象機器（図示せず）に加温用被熱操作流体として与える運転を、加温運転（ボイラー運転）と言い、主として、暖房用に用いているため、暖房運転とも言っている。また、この冷却運転時には、吸収器１と凝縮器２３との冷却は不要なので、管路３１からの冷却用水３２ａの送水を停止している。
【００１５】
また、管路８１は、オーバーフロー管を形成する部分であり、例えば、吸収液の稀釈運転時や、加温運転時、つまり、暖房運転時などに、低温再生器１１の底部に余分に貯留される吸収液を管路８１を介して吸収器１に戻しいれる側路であって、冷却運転時、つまり、冷房運転時には、Ｕ字状の垂れ下がった部分８２に吸収液を溜ておくことにより、冷媒蒸気７ｂが吸収器１に入らないように遮断しているものである。
【００１６】
なお、加温運転時などに、蒸発器２６の底部に溜まる冷媒液２４ｂの増加分は、蒸発器２６の底部と吸収器１の底部の間の仕切壁を越えて稀液２ａに合流するようにしてあり、さらに、加温運転時には、蒸発器２６の温度上昇によって、管路２８・散布器２６Ａ内に溜まっている冷媒液２４ｂが温度上昇するため、冷媒が析出結晶して管路２８・散布器２６Ａ内を詰まらせてしまうので、これを防ぐために、管路２８Ｂ・開閉弁Ｖ４を設けて管路２８・散布器２６Ａ内の冷媒液２４ｂを排出するようにしてある。
【００１７】
制御部７０は、図５のように、マイクロコンピュータ型の制御処理機能、つまり、ＣＰＵ７０Ａを主体にした制御部、例えば、市販のＣＰＵボード（ＣＰＵ／Ｂ）で構成した制御部であって、操作部７６からの各操作信号と各温度検出器Ｓ１〜Ｓ４などからの各検出信号とを、入出力ポート７１から取り込んで、作業用メモリ７３に一時的に記憶し、作業メモリ用７３に記憶したデータと、処理用メモリ７２に記憶した制御処理フローのプログラムと、データ用メモリ７４に記憶した所定温度などの基準値データと、計時回路７５で計時した待時間などの時間値データとなどによる演算処理にもとづいて、所要の制御処理を行って得られる各ポンプＰ１・Ｐ２、各開閉弁Ｖ１〜Ｖ４、加熱調整弁Ｖ５、元開閉弁Ｖ６などに対する各制御信号を入出力ポート７１から出力するとともに、作業用メモリ７３に記憶している記憶データの内容から所要のものを表示部７７に与えて表示するように構成したものである。なお、処理用メモリ７２とデータ用メモリ７４とは、１つのＰＲＯＭ、ＥＰＲＯＭ、ＥＥＰＲＯＭ、または、フラッシュメモリなどに記憶してもよい。
【００１８】
そして、制御部８０により、必要に応じて、開閉弁Ｖ１・Ｖ２・Ｖ４の開閉とポンプＰ１・Ｐ２の運転・停止とを制御することにより、冷却運転と加温運転とに切換運転するとともに、各運転中において、冷却対象機器または加温対象機器に与える冷／温水３６ｂを所定の温度に維持するために、操作部７６などから与える所要の各操作信号と、冷／温水戻水３６ａと冷／温水３５ｂとの温度を検出する温度検出器Ｓ１・Ｓ２、冷却用水３２ａと冷却用水戻水３２ｂとの温度を検出する温度検出器Ｓ３・Ｓ４などから与える各検出信号とにもとづいて、加熱器６の点火を行う点火器６６や、加熱量を調節する加熱調整弁Ｖ５、元開閉便弁Ｖ６などを制御することにより、定常の温度制御運転を行うように構成してあり、各制御対象となる機器部分は電動型のもので構成してある。
【００１９】
上記の図３の構成を、具体的な構成で示すと図４のようになるものであり、さらに、加熱器６に対する加熱量と点火・消火の制御系は、図６のように、主として、冷／温水３６ｂの温度、つまり、温度検出器Ｓ２の検出信号にもとづいて制御部７０が制御している。この制御は、冷却運転の場合には、冷／温水３６ｂが目標温度よりも低くなったときに、燃料／流量調整弁Ｖ５Ａを最小の開度にし、更には、元開閉弁Ｖ６を閉じて消火、つまり、加熱の停止を行うように動作させるが、加温運転の場合には、冷／温水３６ｂの温度が目標温度よりも高くなったときに、同様の動作行うことになる。
【００２０】
図６において、加熱調整弁Ｖ６は、加熱器６に供給する燃料６５Ａ、例えば、都市ガスまたは石油などの供給量を調整する燃料／流量調整弁Ｖ５Ａと、燃料６５Ａに混合する空気、つまり、送気器６５Ｂからの空気の供給量を調整する送気調整弁Ｖ５Ｂとを電動機Ｖ５Ｃで連動駆動するように構成してあり、加熱器６に対する燃料６５Ａの供給は、電動機Ｖ６Ａにより駆動される元開閉弁Ｖ６で開閉制御した後に、燃料／流量調整弁Ｖ５Ａで燃料６５Ａの供給量を調整している。
【００２１】
点火器６６は、高電圧発生回路（図示せず）で発生した高電圧を放電電極６６Ａに与えることにより、電気火花を発生して、供給された燃料６５Ａに点火を行うように構成してあり、送気器６５Ｂは電動機６５Ｂ１により駆動されるブロワー型の送風機で構成してある。
【００２２】
点火器６６・電動機Ｖ５Ｃ・電動機Ｖ６Ａ・電動機６５Ｂ１は、それぞれ、電源６８から電圧を与えるための継電回路６７Ａ・６７Ｂ・６７Ｃ・６７Ｄに制御部７０から制御信号を与えることにより所要の時間だけ駆動され、このうち、電動機Ｖ５Ｃ・電動機Ｖ６Ａに対する継電回路６７Ｂ・６７Ｃは、自動復帰型の過負荷継電器で、電動機Ｖ５Ｃ・電動機Ｖ６Ａを正転方向と反転方向とに切換動作する切換接続を行うとともに、燃料／流量調整弁Ｖ５Ａ・元開閉弁Ｖ６が、それぞれ、開閉限度を越える駆動が行われたときには、継電回路６７Ｂ・６７Ｃが過負荷動作して電源６８を遮断するように構成してある。
【００２３】
そして、大型の吸収式冷凍装置１００の場合には、流量調整弁Ｖ５は、図６の〔弁開閉制御特性〕のように、開側の開度１００％まで開くが、閉側は所定の残開度Ｗ、例えば、３％程度の開度を残した箇所を限度として閉じるように構成し、元開閉弁Ｖ６は単なる全開・全閉を行うように構成することにより、点火後の消火時以外は口火が残るようにしておき、完全な消火を行うとき、つまり、加熱の停止を行うときには、元開閉弁Ｖ６を閉じるようにしている。
【００２４】
また、燃料／流量調整弁Ｖ５Ａの開度の制御は、目標温度と温度検出器Ｓ２の検出信号による温度、つまり、冷／温水３６ｂの温度との差に比例した適宜の駆動時間、例えば、全開閉駆動時間Ｔ１の１／１０程度の時間だけ継電回路６７Ｂを閉じて電動機Ｖ５Ｃを所要回転方向に駆動するように構成してある。
【００２５】
したがって、消火を行う際、つまり、加熱の停止を行う際には、全開閉駆動時間Ｔ１よりも少し長い時間にわたって、燃料／流量調整弁Ｖ５Ａを閉じる方向にした電源を電動機Ｖ５Ｃに与えた後に、元開閉弁Ｖ６を閉じる方向にした電源を電動機Ｖ６Ａに与えるようにしている。
【００２６】
なお、吸収式冷凍装置には、上記の吸収式冷凍装置１００のように、冷房運転と加温運転とに切換運転できるものと、加温運転に関連する部分を設けずに、冷却運転のみが行えるものとがあるが、この発明では、この両者を含めて吸収式冷凍装置という。
【００２７】
【発明が解決しようとする課題】
上記の従来技術の構成では、消火を行う際には、全開閉駆動時間Ｔ１よりも少し長い時間にわたって、燃料／流量調整弁Ｖ５を閉じる方向に電動機Ｖ５Ｃを動作させた後に、元開閉弁Ｖ６を閉じる方向に電動機Ｖ６Ａを動作させているため、燃料／流量調整弁Ｖ５Ａの開度が小さいときに消火を行ったときには、実際には、燃料／流量調整弁Ｖ５が残開度Ｗに到達しているにもかかわらず、全開閉駆動時間Ｔ１だけ待たなければ消火できないので、その待ち時間量だけ、冷／温水３６７ｂの温度に対する制御が遅れるほか、燃料を無駄に消費しているという不都合がある。
【００２８】
こうした不都合を解消するために、燃料／流量調整弁Ｖ５Ａ自体に開度情報を得るための開度検出器を設けておき、その開度情報によって元開閉弁Ｖ６を制御するように構成することが考えられるが、燃料／流量調整弁Ｖ５Ａの構造上、そのような構成を設けることができない場合がある。
また、電動機Ｖ５Ｃをパルスモータまたはステップモータに変更して構成する方法も考えられるが、大型の装置の場合には、燃料／流量調整弁Ｖ５も大型になるため、パルスモータやステップモータで駆動する構成にしたのでは、電動機自体が高価になるほか、パルスモータやステップモータの場合には、大きな駆動力が得にくいので、駆動機構に大きな減速比をもつ減速機構を設ける必要があり、この大きな減速比のために、燃料／流量調整弁Ｖ５の駆動速度が遅くなり過ぎて制御が間に合わないなどの不都合を生ずる。なお、この発明において、電動機とは、単なる誘導電動機または減速機構付きの誘導電動機をいうものである。
このため、こうした構造によらず、簡便な構成で上記の不都合を解決した吸収式冷凍装置の提供が望まれているという課題がある。
【００２９】
【課題を解決するための手段】
この発明は、上記のような高温再生器で加熱した熱操作流体にもとづいて被熱操作流体を冷却または加温するとともに、上記の加熱に用いる燃料の供給を、残開度を設けて調整する流量調整弁と、全開・全閉を行う元開閉弁とにより制御する構成をもつ吸収式冷凍装置において、
【００３０】
上記の流量調整弁を駆動する電動機によって上記の流量調整弁を上記の残開度から全開まで、または、全開から上記の残開度まで駆動に要する駆動時間を細分化した単位駆動時間を設けて前記電動機を駆動する単位時間駆動制御手段と、上記の単位駆動時間による駆動を行った回数を計数して得られる計数値を記憶するデータ用メモリと、前記元開閉弁を全閉とする際、前記データ用メモリに記憶された前記計数値がゼロとなったことを確認して、上記の元開閉弁の電動機を駆動して上記の元開閉弁の全閉を行うことにより上記の加熱を停止する加熱停止手段とを設ける構成により上記の課題を解決したものである。
【００３１】
【発明の実施の形態】
この発明の実施の形態として、この発明を、図３〜図６の構成による吸収式冷凍装置１００に適用した場合の実施例を説明する。
【００３２】
【実施例】
以下、実施例を図１・図２により説明する。これらの図において、図３〜図６の符号と同一符号で示した部分は、図３〜図６によって説明した同一符号の部分と同一の機能をもつ部分であり、また、図１・図２において同一符号で示す部分は、図１・図２のいずれかにおいて説明する同一符号の部分と同一の機能をもつ部分である。
【００３３】
図１の構成において、図３〜図６の構成と異なる箇所は、第１には、燃料／流量調整弁Ｖ５Ａの制御を、図１の〔弁開閉制御特性〕に示したように、残開度Ｗから全開、つまり、開度１００％まで開く間、または、全開から残開度Ｗまで閉じる間に要する燃料／流量調整弁Ｖ５Ａの電動機Ｖ５Ｃを駆動する時間を全開閉駆動時間Ｔ１として、この全開閉駆動時間Ｔ１を細分化した単位駆動時間Ｔ２を設定しておき、この単位駆動時間Ｔ２を「１」として、単位駆動時間Ｔ２により駆動した回数を駆動回数Ｎとして計数する構成を設けた箇所である。
【００３４】
つまり、全開閉駆動時間Ｔ１を残開度Ｗから全開、つまり、開度１００％まで開く間に要する時間として定めた場合には、残開度Ｗから全開までに要する最大駆動回数Ｎｍａｘは、全開閉駆動時間Ｔを単位駆動時間Ｔ２で割った数になり、残開度Ｗは駆動回数Ｎ＝０になり、このＮ＝０のときは、元開閉弁Ｖ６を全閉して消火、つまり、加熱の停止を行ってもよいことを判別し得るようにしたものである。
【００３５】
そして、第２には、上記の単位駆動時間Ｔ２による駆動回数Ｎの値にもとづいて燃料／流量調整弁Ｖ５Ａと元開閉弁Ｖ６を制御するために図２の制御処理フローのプログラムを制御部７０の処理用メモリ７２に、また、最大駆動回数Ｎｍａｘのデータをデータ用メモリ７４に、それぞれ、予め、記憶するようにした箇所である。
【００３６】
〔制御処理フローの説明〕
図２の制御処理フローは、装置の定常の動作を制御処理するためのメイン制御処理ルーチンに付随するサブルーチンとして構成してあり、所定時間ごとに、例えば、０．５秒ごとに、メイン制御処理ルーチンから図２の制御処理フローに移行してくるように編成されているものである。
【００３７】
なお、冷／温水３６ｂの温度を温度検出器Ｓ２で検出した検出信号により得られる温度データにもとづいて、加熱器６の加熱を増減または停止することを要する旨の指令を行う処理は、メイン制御処理ルーチン側で処理するように構成しているものである。
【００３８】
◆ステップＳＰ１では、メイン制御処理ルーチン側が行った指令データを取り込んで次のステップＳＰ２に移行する。
◆ステップＳＰ２では、指令データが「加熱開始」を行う旨、つまり、加熱器６の加熱を開始する旨の指令であるか否かを判別する。「加熱開始」であるときは次のステップＳＰ３に移行し、そうでないときはステップＳＰ１１に移行する。
【００３９】
◆ステップＳＰ３では、元開閉弁Ｖ６を全開し、点火器６６で点火した後に、メイン制御処理ルーチンの所定のステップ箇所に移行する。ここで、元開閉弁Ｖ６の全開と点火は、制御部７０から図６の継電回路６７Ｃに制御信号を与えて元開閉弁Ｖ６が開く方向の電圧を電動機Ｖ６Ａに与えるとともに、継電回路５７Ａに制御信号を与えて点火器６６を動作する。なお、元開閉弁Ｖ６を開いただけで点火と加熱開始ができるのは、元開閉弁Ｖ６を通った燃料６５Ａが燃料／流量調整弁Ｖ５Ａの残開度Ｗの部分を通って加熱器６側に流出するとともに、送気調整弁Ｖ５Ｂが燃料／流量調整弁Ｖ５Ａと連動して開かれるため送気器６６からの送気が燃料６５Ａと混合されて加熱器６内に送り込まれるからである。
【００４０】
◆ステップＳＰ１１では、指令データが「加熱増加」を行う旨、つまり、加熱器６の加熱量を増加する旨の指令であるか否かを判別する。「加熱増加」であるときは次のステップＳＰ１２に移行し、そうでないときはステップＳＰ２１に移行する。
【００４１】
◆ステップＳＰ１２では、駆動回数Ｎが「最大駆動回数Ｎｍａｘ」になっているか否かを判別する。「最大駆動回数Ｎｍａｘ」になっているきはメイン制御処理ルーチンの所定のステップ箇所に移行し、そうでないときは次のステップＳＰ１３に移行する。ここでの判別は、作業メモリ７３の所定記憶箇所に駆動回数Ｎを記憶しておき、この駆動回数Ｎを読み出したデータと、データ用メモリ７４に記憶している最大駆動回数Ｎｍａｘを読み出したデータとを比較演算して判別する。
【００４２】
◆ステップＳＰ１３では、燃料／流量調整弁Ｖ５Ａの電動機Ｖ５Ｃを単位駆動時間Ｔ２だけ開き方向に駆動して次のステップＳＰ１４に移行する。ここでの駆動は、制御部７０から図６の継電回路６７Ｂに時間Ｔ２だけ制御信号を与えて燃料／流量調整弁Ｖ５Ａを開く方向の電圧を電動機Ｖ５Ｃに与えることにより、燃料／流量調整弁Ｖ５Ａを単位駆動時間Ｔ２に相当する量だけ開くようにする。
【００４３】
◆ステップＳＰ１４では、作業メモリ７３に記憶している駆動回路Ｎに「１」を加算した後に、メイン制御処理ルーチンの所定のステップ箇所に移行する。
◆ステップＳＰ２１では、指令データが「加熱低減」を行う旨、つまり、加熱器６の加熱量を低減する旨の指令であるか否かを判別する。「加熱低減」であるときは次のステップＳＰ２２に移行し、そうでないときはステップＳＰ３１に移行する。
【００４４】
◆ステップＳＰ２２では、燃料／流量調整弁Ｖ５Ａの電動機Ｖ５Ｃを単位駆動時間Ｔ２だけ閉じ方向に駆動して次のステップＳＰ２３に移行する。ここでの駆動は、制御部７０から図６の継電回路６７Ｂに時間Ｔ２だけ制御信号を与えて燃料／流量調整弁Ｖ５Ａを閉じる方向の電圧を電動機Ｖ５Ｃに与えることにより、燃料／流量調整弁Ｖ５Ａを単位駆動時間Ｔ２に相当する量だけ閉じるようにする。
【００４５】
◆ステップＳＰ２３では、作業メモリ７３に記憶している駆動回数Ｎに「１」を減算した後に、メイン制御処理ルーチンの所定のステップ箇所に移行する。
◆ステップＳＰ３１では、指令データが「加熱停止」を行う旨、つまり、加熱器６の加熱を停止して消火する旨の指令であるか否かを判別する。「加熱停止」であるときは次のステップＳＰ３２に移行し、そうでないときは、加熱器６の加熱に関係のない指令データなので、メイン制御処理ルーチンの所定のステップ箇所に移行する。
【００４６】
◆ステップＳＰ３２では、駆動回数ＮがＮ＝０、つまり、燃料／流量調整弁Ｖ５Ａが残開度Ｗになっている状態に相当することになっているか否かを判別する。Ｎ＝０になっているきはステップＳＰ４１に移行し、そうでないときは次のステップＳＰ３３に移行する。ここでの判別は、作業メモリ７３の記憶された駆動回数Ｎのデータを読み出した値が「０」になっているか否かを判別する。なお、Ｎ＝０のときには、送気調整弁Ｖ５Ｂも送気を停止する状態になり、また、制御部７０から継電回路６７Ｄに制御信号を与えて電動機６５Ｂ１に与えている電圧を遮断することにより、送気を停止することになる。
【００４７】
◆ステップＳＰ３３では、ステップＳＰ２２と同様の制御を行った後に、ステップＳＰ３２に戻り、ステップＳＰ３２での判別がＮ＝０になるまで繰り返し続ける。
【００４８】
◆ステップＳＰ４１では、元開閉弁Ｖ６を全閉することにより燃料６５Ａの流出を遮断して消化した後に、メイン制御処理ルーチンの所定のステップ箇所に移行する。ここで、元開閉弁Ｖ６の全閉は、制御部７０から図６の継電回路６７Ｃに制御信号を与えて元開閉弁Ｖ６が閉じる方向の電圧を電動機Ｖ６Ａに与えることにより、燃料６５Ａの流出を遮断する。
【００４９】
以上の制御処理フローの説明では、ステップＳＰ３・ＳＰ４では、元開閉弁Ｖ６のみを開くように構成してあるが、装置の構成によっては、ステップＳＰ３において、燃料／流量調整弁Ｖ５Ａを全開状態にして加熱を迅速に行うものあり、この場合には、ステップＳＰ３・ＳＰ４に（  ）書きで示したように、ステップＳＰ３において、燃料／流量調整弁Ｖ５Ａの電動機Ｖ５Ｃを単位駆動時間Ｔ２の最大回数Ｎｍａｘ分だけ駆動するとともに、ステップＳＰ４において、作業メモリ７３の駆動回数Ｎの記憶をＮｍａｘの値にして記憶するように変更するのみで、他のステップ箇所は上記の制御処理と同様に行えばよいことになる。
また、残開度Ｗの位置での計数値の所定値を「０」とせずに、例えば、「５」にしておき、「加熱開始」の際に、ステップＳＰ４・ＳＰ３２での「Ｎ＝０」に代えて。「Ｎ＝５」を判別するように構成しても、上記の制御処理と同様の制御処理を行うことがでることは言うまでもない。
【００５０】
〔実施例の構成の要約〕
上記の実施例の構成を要約すると、
高温再生器５で加熱した熱操作流体、例えば、加熱器６によって稀液２ａを加熱して得られる冷媒蒸気７ｃ・中間液２ｂにもとづいて被熱操作流体、例えば、冷／温水３６ｂを冷却または加温するとともに、上記の加熱に用いる燃料６５Ａの供給を、残開度Ｗを設けて調整する流量調整弁、例えば、燃料／流量調整弁Ｖ５Ａと、全開・全閉を行う元開閉弁Ｖ６とにより制御する構成をもつ吸収式冷凍装置１００において、
【００５１】
上記の流量調整弁Ｖ５Ａを駆動する電動機Ｖ５Ｃによって上記の流量調整弁Ｖ５Ａを上記の残開閉Ｗから全開、例えば、開度１００％まで、または、全開、つまり、開度１００％から上記の残開度Ｗまで駆動に要する駆動時間、例えば、全開閉駆動時間Ｔ１を細分化した単位駆動時間Ｔ２を設けて前記電動機Ｖ５Ｃを駆動する単位時間駆動制御手段と、
【００５２】
上記の単位駆動時間Ｔ２による駆動を行った回数、例えば、駆動回数Ｎを計数して得られる計数値が所定値、例えば、「０」のときに、上記の元開閉弁Ｖ６の電動機Ｖ６Ａを駆動して上記の元開閉弁Ｖ６の全閉を行うことにより上記の加熱、つまり、加熱器６による加熱を停止する加熱停止手段と
を設ける構成を構成していることになるものである。
【００５３】
〔変形実施〕
この発明は次のように変形して実施することができる。
（１）燃料／流量調整弁Ｖ５Ａの全開を、実質的な全開位置に代えて、例えば、９５％の開度の位置を全開の状態として制御するように変更して構成する。
【００５４】
（２）全開閉駆動時間Ｔ１を、燃料／流量調整弁Ｖ５Ａの全開から残開度Ｗまでの駆動に要する時間にして、単位駆動時間Ｔ２を設定する。
（３）燃料／流量調整弁Ｖ５Ａを全閉可能な流量調整弁で構成するとともに、その開度が残開度Ｗになる位置を、計数値が所定値、例えば、「０」になるように設定して構成する。
【００５５】
【発明の効果】
この発明によれば、以上のように、燃料の供給量を調整する流量調整弁の残開度から全開まで、または、全開から残開度までの駆動時間を細分化した単位駆動時間を駆動した回数の計数値によって、燃料／流量調整弁が残開度の位置になっていることを判別するように構成してあるため、計数値が「０」になっているときは、直ちに、元開閉弁を閉じて加熱を停止、つまり、消火し得るので、加熱の制御が遅れて、他の構成部分に悪影響を与えたり、燃料の無駄を省いたりすることができる。
【００５６】
また、冷暖房を行う吸収式冷凍装置の場合には、加熱停止の遅れによる冷温水の温度調節に遅れが生じて、人に不快感を与えるような弊害を解消し得るなどの特長がある。
【図面の簡単な説明】
図１・図２はこの発明の実施例を、また、図３〜図６は従来技術を示し、各図の内容は次のとおりである。
【図１】全体ブロック構成・要部動作特性図
【図２】要部制御処理フロー図
【図３】全体ブロック構成図
【図４】全体具体構成図
【図５】要部ブロック構成図
【図６】要部ブロック構成・要部動作特性図
【符号の説明】
１  吸収器
１Ａ  散布器
１Ｂ  冷却管
２ａ  稀液
２ｂ  中間液
２ｃ  濃度
４  管路
５  高温再生器
６  加熱器
６Ａ  排気管
７ａ  冷媒蒸気
７ｂ  冷媒蒸気
７ｃ  冷媒蒸気
８  管路
９  高温熱交換器
１０  管路
１１  低温再生器
１１Ａ  放熱管
１１Ｂ  通路
１２  管路
１３  低温熱交換器
１３Ａ  仕切板
１３Ｂ  蛇行路
１３Ｃ  外殻
１４  管路
２１  管路
２２  管路
２３  凝縮器
２３Ａ  冷却管
２４ａ  冷媒液
２４ｂ  冷媒液
２５  管路
２６  蒸発器
２６Ａ  散布器
２６Ｂ  熱交換管
２８  管路
２８Ｂ  管路
３１  管路
３２ａ  冷却用水
３２ｂ  冷却用水戻水
３３  管路
３４  管路
３５  管路
３６ａ  冷／温水戻水
３６ｂ  冷／温水
３７  管路
４１  管路
４２  管路
６５Ａ  燃料
６５Ｂ  送気器
６５Ｂ１  電動機
６６  点火器
６６Ａ  放電電極
６７Ａ  継電回路
６７Ｂ  継電回路
６７Ｃ  継電回路
６７Ｄ  継電回路
６８  電源
７０  制御部
７０Ａ  ＣＰＵ
７１  入出力ポート
７２  処理用メモリ
７３  作業用メモリ
７４  データ用メモリ
７５  計時回路
７６  操作部
７７  表示部
８１  管路
８２  管路
１００  吸収式冷凍装置
Ｎｍａｘ  最大駆動回数
Ｐ１  ポンプ
Ｐ２  ポンプ
Ｓ１  温度検出器
Ｓ２  温度検出器
Ｓ３  温度検出器
Ｓ４  温度検出器
Ｔ１  前回駆動時間
Ｔ２  単位駆動時間
Ｖ１  開閉弁
Ｖ２  開閉弁
Ｖ４  開閉弁
Ｖ５  加熱調整弁
Ｖ５Ａ  燃料／流量調整弁
Ｖ５Ｂ  送気調整弁
Ｖ５Ｃ  電動機
Ｖ６  元開閉弁
Ｖ６Ａ  電動機
Ｗ  残開度
【図１】
0003748966.tif 000002
【図２】
0003748966.tif 000003
【図３】
0003748966.tif 000004
【図４】
0003748966.tif 000005
【図５】
0003748966.tif 000006
【図６】
0003748966.tif 000007